(57)【要約】【課題】  ユニット室にユニットを収容する際に、ユニットに搭載された遮断器の遮断容量に係わらず、必要なインターロック機能を有する状態で、余計な作業工数を掛けることなく収容可能とし、また、ユニット室を有効に利用することができ、更に、制御盤が必要以上に大きくなることによって輸送費や工事費などの施工コストが高くなることと、制御盤の設置スペースが大きくなることを防止すること。【解決手段】  スライドロック板５２が上方に上げられると、ハンドルロック部５２ａがロックを解除した遮断器４８のオン／オフ操作自在な状態となると共に、扉ロックレバー５４がスライドレール４３に係合固定された状態となる。これによって、制御盤用ユニットの扉４２を開く際に当該扉４２をスライドレール４３の機構で正面側に引き出そうとしても引き出せなくなる。【選択図】      図３
2006033988.tif 000002
【特許請求の範囲】
【請求項１】
制御盤内を水平な仕切り板で仕切って形成された収納スペースに、その仕切り板に対して垂直となる縦置き状態に複数収納可能な箱型を成すと共に、内部に遮断器を含む電気機器が回路化されて組み込まれる本体フレームと、この本体フレームに前後面側双方向にスライド可能に組み込まれたスライド手段を介して当該本体フレームの前面開口を開閉自在に取り付けられ、前記前面開口を閉状態とした際に前記遮断器のオン／オフ操作手段を露出させる貫通穴が形成された扉とを有する制御盤用ユニットにおいて、
前記本体フレームの内部に、前記垂直な上下方向に配設された細長い角棒状のピンと、
前記ピンに上下方向に移動可能に組み合わされ、所定位置へ下げられた状態で前記オン／オフ操作手段をオン操作不可能にロックし、所定位置へ上げられた状態で前記ロックを解除してオン／オフ操作自在とするオン／オフ操作ロック手段を有するスライドロック手段と、
前記ピン及び前記スライドロック手段に、当該スライドロック手段の上下動と供に上下するように組み合わされ、前記オン／オフ操作ロック手段が前記スライド手段に係合固定状態及び解除状態の何れかの状態となる扉ロック手段と
を備えたことを特徴とする制御盤用ユニット。
【請求項２】
前記ピンの長手方向の軸を中心として当該ピンを供に回動できる状態で当該ピンに組み合わされた強制解除手段を更に備え、
前記扉ロック手段は、前記強制解除手段を回動させた際のピンの回動に連携して回動し、この回動が所定角度行われた際に前記スライド手段との係合固定を解除するようになされている
ことを特徴とする請求項１に記載の制御盤用ユニット。
【請求項３】
周回面に凹部を形成した棒状で且つ前記本体フレームの上部に水平方向の軸を中心に回動可能に配設され、また、他の凸部に係合させるための第１の鎖錠凸部を有する鎖錠手段を更に備え、
前記収納スペースの天井面に、前記第１の鎖錠凸部が係合される第１の凸部を形成し、
前記第１の凸部が前記第１の鎖錠凸部に係合された状態で、前記スライドロック手段が所定位置へ上げられた際に前記鎖錠手段の凹部に嵌合された状態となる凸状のユニットロック手段を前記スライドロック手段に形成した
ことを特徴とする請求項１または２に記載の制御盤用ユニット。
【請求項４】
前記鎖錠手段に、前記第１の鎖錠凸部から周回面に沿って所定角度離れた位置に第２の鎖錠凸部を更に備え、
前記収納スペースの天井面に、前記第２の鎖錠凸部が係合される第２の凸部を形成し、
前記第１の凸部が前記第１の鎖錠凸部に係合されると共に前記ユニットロック手段が前記鎖錠手段の凹部に嵌合された状態で、前記鎖錠手段が所定角度回動された際に前記ユニットロック手段が当該鎖錠手段に押下されて下がることによって当該ユニットロック手段が前記凹部から外れた状態となると共に前記第１の鎖錠凸部が前記第１の凸部から外れた状態となり、この状態で前記本体フレームを前面方向に所定距離移動した際に前記第２の鎖錠凸部が前記第２の凸部に係合状態となり、この状態から更に前記鎖錠手段が所定角度回動された際に前記第２の鎖錠凸部が前記第２の凸部から外れた状態となる構造とした
ことを特徴とする請求項３に記載の制御盤用ユニット。
【請求項５】
請求項１から４の何れか１項に記載の制御盤用ユニットを、複数隣接して収納した
ことを特徴とする制御盤。
【発明の詳細な説明】
【技術分野】
【０００１】
本発明は、低圧電動機の始動回路等の電気回路を収容する制御盤用ユニット及び制御盤に関し、特にコントロールセンタなどに用いられる制御盤に複数台収納される制御盤用ユニット及び制御盤に関する。
【背景技術】
【０００２】
図５は、従来の制御盤用ユニットが複数収納されて成る制御盤の構成を示す斜視図である。
この図５に示す制御盤１は、例えば工場などの水平な床面に設置され、その床面に対して垂直な高さ方向（以下、垂直方向とも称す）に長い直方体形状のキャビネットフレーム１０で外観を成している。
【０００３】
キャビネットフレーム１０の最上部には、直方体の室形状を成す母線室１１が設けられ、その母線室１１の下方には、垂直方向に沿って各々独立した直方体の室形状を成す８つのユニット室１２及びこのユニット室１２の扉１３が設けられている。
各ユニット室１２は、キャビネットフレーム１０に垂直方向に沿って一定間隔で水平に配設された仕切り板１４によって形成されている。その仕切り板１４の上に、概略直方体形状を成す制御盤用ユニット（以下、ユニットとも称す）１５を載置してユニット室１２に収納するようになっている。
【０００４】
ユニット１５は、図６に示す制御盤１における一つのユニット室１２の平面図に示すように、遮断器１６や電磁接触器１７を備えた機器用回路が組み込まれており、ユニット室１２に出し入れ自在となっている。
また、ユニット１５を出し入れする際に開閉する扉１３は、キャビネットフレーム１０にヒンジ１８などにより水平方向（又は横方向とも称す）に自在に可動可能なように取り付けられている。更に、扉１３には、当該扉１３を閉じた際に、遮断器１６をオン／オフ操作するハンドル１６ａを制御盤１の正面から操作可能に露出させるための貫通穴１３ａが形成されている。
【０００５】
図７に、扉１３を閉じた際に貫通穴１３ａから遮断器１６のハンドル１６ａが突き出た状態を示す。図７（ａ）は平面図、（ｂ）は正面図である。
ハンドル１６ａには、当該ハンドル１６ａをＯＦＦとした際に矢印Ｙ１で示す方向へ移動する遮断器側取付ハンドルレバー１６ｂが取り付けられている。扉１３には、当該扉１３を閉じた際に、一点鎖線枠２０内に示すように遮断器側取付ハンドルレバー１６ｂに引っ掛かって係合状態となる扉側取付ハンドルレバー１３ｂが取り付けられている。
【０００６】
その遮断器側取付ハンドルレバー１６ｂと扉側取付ハンドルレバー１３ｂとを備えて、安全性を確保するために、次のようなインターロック機能が構成されている。
第１のインターロック機能は、遮断器１６がＯＮ状態の場合に、ユニット室１２内に手等が入らないようにするために、扉１３の開操作を行えないようにするものである。これは、遮断器１６のハンドル１６ａがＯＮの垂直状態の場合に、遮断器側取付ハンドルレバー１６ｂが垂直状態となって扉側取付ハンドルレバー１３ｂと係合することによって扉１３を固定状態とするものである。即ち、扉１３に固定された扉側取付ハンドルレバー１３ｂが、遮断器側取付ハンドルレバー１６ｂに係合状態となっているので、扉１３を開けることができなくなる。
【０００７】
第２のインターロック機能は、扉１３が開状態の場合に遮断器１６をＯＮ状態とできないようにするものである。これは、扉１３が開状態の場合に、各ハンドルレバー１６ｂ，１３ｂの組合せによって遮断器１６がＯＦＦ状態からＯＮ状態にできないようになっている。
第３のインターロック機能は、遮断器１６がＯＮ状態の場合に点検等を行うため、強制ロック解除によって扉１３を開状態とするものである。これは、一点鎖線枠２１内に示すようにロック解除ネジ２１をドライバで廻すことによって、遮断器側取付ハンドルレバー１６ｂのみを矢印Ｙ１で示す方向へ移動するものである。この際、ハンドル１６ａは垂直状態のままで遮断器１６はＯＮ状態となっている。
【０００８】
この他、ユニット１５は、ユニット室１２に適正に収納された際に、制御盤１内の後側において母線室１１から垂直方向に配設された電源供給用の３相分の母線１９に電気的に接続されるようになっている。
この種の従来の装置として、例えば特許文献に記載のものがある。
【特許文献１】特開平６−１６９５０７号公報
【発明の開示】
【発明が解決しようとする課題】
【０００９】
しかし、従来の制御盤用ユニット及び制御盤においては、次のような問題がある。
まず、ユニット室１２に所定のユニット１５を収容する場合は、安全面から少なくとも上述したインターロック機能を備えなければならない。このため、上述のようにハンドル１６ａと扉１３の貫通穴１３ａとの位置を合わせ、扉側取付ハンドルレバー１３ｂと遮断器側取付ハンドルレバー１６ｂとが組み合わさるようにしなければならない。
【００１０】
しかし、ハンドル１６ａは、遮断器１６の遮断容量に応じて形式が異なるので、ユニット１５に搭載する遮断器１６及びハンドル１６ａを決定後に当該遮断器１６及びハンドル１６ａの搭載位置を決定し、この決定後に、当該ユニット１５を収容するユニット室１２の扉１３に、ハンドル１６ａを表面に露出させるための貫通穴１３ａを開口すると共に、扉側取付ハンドルレバー１３ｂを、当該ハンドルレバー１３ｂが遮断器側取付ハンドルレバー１６ｂにインターロック機能を果たすように扉１３に取り付けなければならない。この作業を、キャビネットフレーム１０の扉１３毎に行わなければならないので、作業工数が掛かる。
【００１１】
また、扉１３は、キャビネットフレーム１０に取り付けられているので、一旦、貫通穴１３ａを開口した場合、その貫通穴１３ａに適合するハンドル１６ａが搭載されたユニット１５が必然的に決まってしまう。このため、当該扉１３によって閉塞されるユニット室１２には、所定のユニット１５しか収容することができずユニット室１２を有効に利用することができなくなる。
仮に、そのユニット室１２に、他の遮断容量の遮断器１６及びハンドル１６ａが搭載されたユニット１５を収容可能とするには、扉１３を交換して上記のように貫通穴１３ａを開口すると共に、扉１３に扉側取付ハンドルレバー１３ｂをインターロック機能を果たすように取り付けなければならないので、その作業に工数が掛かることになる。
【００１２】
また、各ユニット室１２に直方体形状のユニット１５を収納する場合、ユニット１５の長手辺が水平となる横置き状態に収納することによって一つのユニット室１２に一つのユニット１５を収納することを前提としているので、図８に示すように、ユニット１５の長手方向（水平方向）のサイズＬ１が、ユニット室１２の横幅（水平方向の幅）Ｌ２よりも短い場合、ユニット室１２に空きスペース１２ａが生じてしまい、ユニット室１２を有効利用することができない。
【００１３】
更に、空きスペース１２ａが生じるほどに無駄なスペースが増加することになるので、制御盤１が必要以上に大きくなる。このように制御盤１が大きくなると、輸送費や工事費などの施工コストが高くなると共に、制御盤１の設置スペースが大きくなってしまう。
本発明は、このような課題に鑑みてなされたものであり、ユニット室にユニットを収容する際に、ユニットに搭載された遮断器の遮断容量に係わらず、必要なインターロック機能を有する状態で、余計な作業工数を掛けることなく収容可能とし、また、ユニット室を有効に利用することができ、更に、制御盤が必要以上に大きくなることによって輸送費や工事費などの施工コストが高くなることと、制御盤の設置スペースが大きくなることを防止することができる制御盤用ユニット及び制御盤を提供することを目的としている。
【課題を解決するための手段】
【００１４】
上記目的を達成するために、本発明の請求項１による制御盤用ユニットは、制御盤内を水平な仕切り板で仕切って形成された収納スペースに、その仕切り板に対して垂直となる縦置き状態に複数収納可能な箱型を成すと共に、内部に遮断器を含む電気機器が回路化されて組み込まれる本体フレームと、この本体フレームに前後面側双方向にスライド可能に組み込まれたスライド手段を介して当該本体フレームの前面開口を開閉自在に取り付けられ、前記前面開口を閉状態とした際に前記遮断器のオン／オフ操作手段を露出させる貫通穴が形成された扉とを有する制御盤用ユニットにおいて、前記本体フレームの内部に、前記垂直な上下方向に配設された細長い角棒状のピンと、前記ピンに上下方向に移動可能に組み合わされ、所定位置へ下げられた状態で前記オン／オフ操作手段をオン操作不可能にロックし、所定位置へ上げられた状態で前記ロックを解除してオン／オフ操作自在とするオン／オフ操作ロック手段を有するスライドロック手段と、前記ピン及び前記スライドロック手段に、当該スライドロック手段の上下動と供に上下するように組み合わされ、前記オン／オフ操作ロック手段が前記前記スライド手段に係合固定状態及び解除状態の何れかの状態となる扉ロック手段とを備えたことを特徴とする。
【００１５】
この構成によれば、スライドロック手段が上方に上げられると、オン／オフ操作ロック手段がロックを解除した遮断器のオン／オフ操作自在な状態となると共に、扉ロック手段がスライド手段に係合固定された状態となる。これによって、制御盤用ユニットの扉を開く際に当該扉をスライド手段の機構で正面側に引き出そうとしても引き出せなくなる。つまり、遮断器を自由にオン／オフできる状態では、扉を開けることができない第１のインターロック機能を実現した。
【００１６】
また、スライド手段が下方に下げられると、オン／オフ操作ロック手段がロック状態となると共に、扉ロック手段のスライド手段への係合固定が解除された状態となるので、扉を正面側に引き出して開放することが可能となる。つまり、扉が開放自在な状態では、遮断器をＯＮ状態にできない第２のインターロック機能を実現した。
また、本発明の請求項２による制御盤用ユニットは、請求項１において、前記ピンの長手方向の軸を中心として当該ピンを供に回動できる状態で当該ピンに組み合わされた強制解除手段を更に備え、前記扉ロック手段は、前記強制解除手段を回動させた際のピンの回動に連携して回動し、この回動が所定角度行われた際に前記スライド手段との係合固定を解除するようになされていることを特徴とする。
【００１７】
この構成によれば、操作者が強制解除手段を所定角度まで回動させると、ピンを介して扉ロック手段も所定角度まで回動するので、扉ロック手段のスライド手段への係合固定が解除される。また、その係合固定の状態は、オン／オフ操作ロック手段がロックを解除した遮断器のオン／オフ操作自在な状態であるため、遮断器がオン状態とされていると仮定すると、オン状態のままで係合固定が強制的に解除される。これによって、遮断器がオン状態のままで扉を正面側にスライドさせたのち開放することが可能となる。つまり、点検等を行う際に、遮断器がオン状態のままで強制ロック解除によって扉を開状態とする第３のインターロック機能を実現した。
【００１８】
また、本発明の請求項３による制御盤用ユニットは、請求項１または２において、周回面に凹部を形成した棒状で且つ前記本体フレームの上部に水平方向の軸を中心に回動可能に配設され、また、他の凸部に係合させるための第１の鎖錠凸部を有する鎖錠手段を更に備え、前記収納スペースの天井面に、前記第１の鎖錠凸部が係合される第１の凸部を形成し、前記第１の凸部が前記第１の鎖錠凸部に係合された状態で、前記スライドロック手段が所定位置へ上げられた際に前記鎖錠手段の凹部に嵌合された状態となる凸状のユニットロック手段を前記スライドロック手段に形成したことを特徴とする。
【００１９】
この構成によれば、収納スペースに制御盤用ユニットが収納されている際に、収納スペースの天井面に形成された第１の凸部に鎖錠手段の第１の鎖錠凸部が係合された状態で、スライドロック手段が所定位置へ上げられているとした場合、スライドロック手段に設けけられているユニットロック手段が、鎖錠手段の凹部に嵌合された状態となる。この状態において、制御盤用ユニットを引き出そうとしても、ユニットロック手段が鎖錠手段の凹部に挿入されているので鎖錠手段が制御盤用ユニットの本体フレームと物理的に一体状態になっており、尚且つ鎖錠手段の第１の鎖錠凸部が第１の凸部に引っ掛かかっているので、ユニットを引き出すことができない。つまり、制御盤用ユニットがユニット室に収容された状態で尚且つ遮断器をオンと出来ないようにするロックの解除状態の場合に、ユニットをユニット室から引き出せないようにする第４のインターロック機能を実現した。
【００２０】
また、本発明の請求項４による制御盤用ユニットは、請求項３において、前記鎖錠手段に、前記第１の鎖錠凸部から周回面に沿って所定角度離れた位置に第２の鎖錠凸部を更に備え、前記収納スペースの天井面に、前記第２の鎖錠凸部が係合される第２の凸部を形成し、前記第１の凸部が前記第１の鎖錠凸部に係合されると共に前記ユニットロック手段が前記鎖錠手段の凹部に嵌合された状態で、前記鎖錠手段が所定角度回動された際に前記ユニットロック手段が当該鎖錠手段に押下されて下がることによって当該ユニットロック手段が前記凹部から外れた状態となると共に前記第１の鎖錠凸部が前記第１の凸部から外れた状態となり、この状態で前記本体フレームを前面方向に所定距離移動した際に前記第２の鎖錠凸部が前記第２の凸部に係合状態となり、この状態から更に前記鎖錠手段が所定角度回動された際に前記第２の鎖錠凸部が前記第２の凸部から外れた状態となる構造とした
ことを特徴とする。
【００２１】
この構成によれば、鎖錠手段を所定角度回転すると、スライドロック手段が下がるので、第１のインターロック機能が外れた状態となると共に、第２のインターロック機能が掛かった状態となる。この際、第１の鎖錠凸部が第１の凸部から外れた状態となるので、制御盤用ユニットを前面方向に引き出すことができるが、所定距離移動した際に第２の鎖錠凸部が第２の凸部に係合状態となる。つまり、ユニットを試験位置まで引き出せるが、それ以上引き出すことはできないので、ユニットを一気に引き出してユニットを落下させるなどの危険を防止することができる。また、鎖錠手段を更に所定角度回動させると、第２の鎖錠凸部が第２の凸部から外れた状態となるので、ユニットを引き出すことができる。
【００２２】
また、本発明の請求項５による制御盤は、請求項１から４の何れか１項に記載の制御盤用ユニットを、複数隣接して収納したことを特徴とする。
この構成によれば、制御盤内に殆ど空きスペースが生じることなく複数の制御盤用ユニットを収納することが可能となる。従って、制御盤内の収納スペースを有効利用することができる。これによって、従来のように無駄なスペースが生じることが無いので、制御盤が必要以上に大きくなることを防止することができ、制御盤が必要以上に大きくなることによる輸送費や工事費などの施工コストの高騰、制御盤の設置スペースの拡大化を防止することができる。
【発明の効果】
【００２３】
以上説明したように本発明によれば、ユニット室にユニットを収容する際に、ユニットに搭載された遮断器の遮断容量に係わらず、必要なインターロック機能を有する状態で、余計な作業工数を掛けることなく収容可能とし、また、ユニット室を有効に利用することができ、更に、制御盤が必要以上に大きくなることによって輸送費や工事費などの施工コストが高くなることと、制御盤の設置スペースが大きくなることを防止することができるという効果がある。
【発明を実施するための最良の形態】
【００２４】
以下、本発明の実施の形態を、図面を参照して説明する。但し、本明細書中の全図において相互に対応する部分には同一符号を付し、重複部分においては後述での説明を省略する。
（実施の形態）
図１は、本発明の実施の形態に係る制御盤用ユニットが複数収納されて成る制御盤の構成を示す正面図である。
この図１に示す本実施の形態の制御盤３０の特徴は、母線室１１の下方に、所定間隔で水平に４枚配置された仕切り板３２の間に形成される直方体形状の４つのユニット室（収納スペース）３３の各々に、直方体形状でこの正面長手辺を垂直状態とする縦置き型の制御盤用ユニット３４を５つ収納し、この制御盤用ユニット３４に後述で詳細に説明する各種のインターロック機能を備えて構成した点にある。
【００２５】
制御盤用ユニット３４は、上述の背景技術で説明したユニット１５と同様に遮断器や電磁接触器を備えた機器用回路が組み込まれており、ユニット室３３に出し入れ自在となっており、図２に示すように、左側板４１ａ及び右側板４１ｂを図示する本体フレーム４１と、この本体フレーム４１に組み込まれた扉４２と、本実施の形態の特徴要素であるインターロック機能部５０とを備えて構成されている。
【００２６】
本体フレーム４１は、正面が開口して垂直方向に長い直方体の箱型を成し、当該本体フレーム４１に、正面の開口を閉塞又は開口状態とするための扉４２が次のように取り付けられている。
本体フレーム４１の左側板４１ａの正面側端部は、正面に細長い面が対向するようにＬ字型に折り曲げられており、この折り曲げ部４１ｂの上下に所定間隔離して縦長の貫通したスロット穴４１ｃが形成されると共に、その上下のスロット穴４１ｃの中間位置に当該スロット穴４１ｃよりも小さい中間スロット穴４１ｄが形成されている。
【００２７】
上下のスロット穴４１ｃには、細長い板状のスライドレール４３が挿通されている。スライドレール４３は、当該レール長手方向に細長く貫通したスライド穴４３ａが形成されており、このスライド穴４３ａに、左側板４１ａに固定されたピン状のレールガイド４４が挿通されている。つまり、スライドレール４３がレールガイド４４とスライド穴４３ａとの組合せで規制されながらスライド穴４３ａを通って正面又は後面方向に自在に移動できる構造（スライド手段）と成されている。
また、各スライドレール４３の正面側の先端部は、Ｌ字型に折り曲げられており、この折り曲げ部分に取り付けられたヒンジ４５に、扉４２が横方向に自在に可動可能なように取り付けられている。
【００２８】
また、扉４２の上下のスライドレール４３への取り付け部分の中間位置には、スライドレール４３と平行に回転防止レール４６が固定されている。この回転防止レール４６は、扉４２を後ろ側にスライドさせた際に、中間スロット穴４１ｄに挿通され、この挿通状態にあって扉４２を開閉動作できないようにするためのものである。また、回転防止レール４６は、扉４２が隣接ユニットの扉に突き当たらない位置まで引き出された際に、中間スロット穴４１ｄから抜ける長さとなっている。
更に、扉４２の正面には、ユニット３４に組み込まれる機器用回路の表示機器４７が配設されると共に、ユニット３４がユニット室３３に収容された状態において、図３に示す遮断器４８のハンドル（オン／オフ操作手段）４８ａが扉４２を閉じた際に操作可能に露出するようになっている。
【００２９】
次に、インターロック機能部５０の構造を、図３を参照して説明する。
インターロック機能部５０は、ユニット３４内に垂直方向に細長い角棒状のピン５１が配設されており、このピン５１に、ハンドルロック部（オン／オフ操作ロック手段）５２ａ及びユニットロック部（ユニットロック手段）５２ｂを有するスライドロック板（スライドロック手段）５２が垂直方向に自在に移動可能なように組み合わされている。この組合せは、スライドロック板５２に、ピン５１の上側及び下側とこの中間位置に対応する３箇所に当該ピン５１の断面対角線よりも直径が大きい円形貫通穴を形成し、この３つの円形貫通穴をピン５１に挿通して行われている。
【００３０】
また、スライドロック板５２の中間位置の円形貫通穴と下側の円形貫通穴との間のピン５１の区間には、コイル状のバネ５３と、このバネ５３の上に配置された扉ロックレバー５４とが挿通されている。
扉ロックレバー（扉ロック手段）５４は、ピン５１の断面角形状よりも僅かに大きい相似形の角形貫通穴を２つ対向状態に備えた本体と、この本体から突き出した凸部５４ａとを備えて成り、２つの角形貫通穴がピン５１に挿通されている。
【００３１】
その凸部５４ａは、スライドロック板５２が矢印Ｙ２で示す上方に上げられてハンドルロック部５２ａが実線で示すようにハンドル４８ａのロックを解除した状態では、スライドレール４３に形成された切り欠き凹部４３ｂに、当該凸部５４ａの先端が挿入状態となるように成されている。
このように凸部５４ａが切り欠き凹部４３ｂに挿入状態となると、ユニット３４の扉４２を開く際に扉４２を正面側に引き出そうとしても、スライドレール４３の切り欠き凹部４３ｂが凸部５４ａに係合して引き出せなくなる。つまり、遮断器４８を自由にＯＮ／ＯＦＦできる状態では、扉４２を開けることができない第１のインターロック機能を構成している。
【００３２】
一方、スライドロック板５２が矢印Ｙ３で示す下方に下げられてハンドルロック部５２ａが破線で示すようにハンドル４８ａをロックした状態では、凸部５４ａも下がって切り欠き凹部４３ｂから出て離れた状態となる。
この状態では、扉４２を正面側に引き出して開放することが可能となる。つまり、扉４２が開放自在な状態では、遮断器４８をＯＮ状態にできない第２のインターロック機能を構成している。
【００３３】
次に、ピン５１の上側には、当該ピン５１から水平方向（ピン５１に対しては垂直方向）に突き出るように強制解除レバー（強制解除手段）５５が組み合わされている。強制解除レバー５５には、ピン５１の断面角形状と相似で且つ僅かに大きいサイズの角形貫通穴が、２つ対向状態に形成されており、それらの角形貫通穴がピン５１に挿通されている。更に、その挿通は、上側の角形貫通穴が形成された部材が、本体フレーム４１側より形成された部材の上に載置され、これによって、スライドロック板５２が矢印Ｙ２及び矢印Ｙ３へ移動しても、強制解除レバー５５が下に落ちないようになっている。
【００３４】
この強制解除レバー５５は、工具等によって矢印Ｙ４で示す反時計回りに自在に回動させることができるようになっている。強制解除レバー５５を回動させると、当該強制解除レバー５５と連結してピン５１も回動するので、ピン５１の下方に挿通された扉ロックレバー５４も矢印Ｙ５で示すように回動する。
従って、強制解除レバー５５を反時計回りに回動させると、扉ロックレバー５４も反時計回りに回動して切り欠き凹部４３ｂから水平方向に抜け出して離れた状態となる。この状態では、遮断器４８がＯＮ状態のままで扉４２を正面側に引き出して開放することが可能となる。つまり、遮断器４８がＯＮ状態の場合に点検等を行うため、遮断器４８がＯＮ状態のままで強制ロック解除によって扉４２を開状態とする第３のインターロック機能を構成している。
【００３５】
更に、第４のインターロック機能を説明する。この機能は、ユニット３４がユニット室３３に収容された状態で尚且つ遮断器４８をＯＮと出来ないようにするロックの解除状態の場合に、ユニット３４をユニット室３３から引き出せないようにするものである。これは、遮断器４８がＯＮ状態でユニット３４を引き出す際に伴う危険を防止するためである。
【００３６】
このような第４のインターロック機能を、図４に示す構成で実現している。
図４（ａ）〜（ｃ）に示すように、ユニット室３３を構成するキャビネットフレームの天井側に水平に突き出す凸部であるキャビネットフレーム第１凸部（第１の凸部）３３ａと、このキャビネットフレーム第１凸部３３ａから所定間隔離れた位置において、第１凸部３３ａよりも長く突き出す凸部であるキャビネットフレーム第２凸部（第２の凸部）３３ｂとを形成する。
【００３７】
そして、ユニット室３３にユニット３４を適正位置に収納した際に、キャビネットフレーム凸部３３ａの真下のユニット３４の上部分に、鎖錠レバー６１と鎖錠ロッド６２とを組み合わせた鎖錠手段によってインターロック機構を構成した。
鎖錠レバー６１は、細長い板の両側をＬ字状に折り曲げ、これらの折り曲げ部分に角形貫通穴を対向状態に形成し、更に一方の折り曲げ部分に鎖錠レバー第１凸部（第１の鎖錠凸部）６１ａ及び鎖錠レバー第２凸部（第２の鎖錠凸部）６１ｂを形成した。
【００３８】
鎖錠レバー第１凸部６１ａ及び鎖錠レバー第２凸部６１ｂは、互いの凸状に延びる中心線を延長した線が直交する状態で形成されている。この鎖錠レバー第１凸部６１ａ及び鎖錠レバー第２凸部６１ｂが形成された部分は、ユニット３４がユニット室３３に奥まで適正に収容された状態では、（ａ）に示すようにキャビネットフレーム第１凸部３３ａの後側に配置される。
【００３９】
この配置において、鎖錠レバー第１凸部６１ａは、キャビネットフレーム第１凸部３３ａの水平位置より高く突き出るようになっている。（ａ）の状態から反時計回りに９０度回転した（ｂ）の状態では、鎖錠レバー第２凸部６１ｂが、キャビネットフレーム第２凸部３３ｂの先端部分において水平位置より高く突き出るようになっている。
また、鎖錠レバー６１の概略中間位置には、当該鎖錠レバー６１の長手方向と直交状態に所定幅の切り欠きを入れた鎖錠レバー切り欠き凹部６１ｃを形成した。
【００４０】
鎖錠ロッド６２は、鎖錠レバー６１の対向する角形貫通穴に嵌合する細長い角柱形状を成し、第１凸部６１ａ及び第２凸部６１ｂが形成された側と反対側の角形貫通穴から露出した面に、細長い溝によるキー挿入部６２ｂを形成した。このキー挿入部６２ｂに鎖錠ロッド６２を鎖錠レバー６１と共に回動させるためのユニットロック解除キー６３を挿入する。
【００４１】
また、鎖錠ロッド６２には、鎖錠レバー６１の切り欠き凹部４３ｂから露出する部分に角穴形状の鎖錠ロッド凹部（鎖錠手段の凹部）６２ａを設けた。
この鎖錠ロッド凹部６２ａには、（ａ）に示すように、スライドロック板５２が矢印Ｙ２方向へ上げられるロック解除状態の場合に、上端部のユニットロック部５２ｂが挿入されるようになっている。この際、鎖錠レバー第１凸部６１ａがキャビネットフレーム第１凸部３３ａよりも高い位置に突き出た状態となって、又、鎖錠ロッド６２にユニットロック部５２ｂが挿入されているため、回転させようとしてもユニットロック部５２ｂが鎖錠ロッド６２に引っ掛かって回転できないようになっている。また、ユニット３４を引き出そうとしても、鎖錠レバー第１凸部６１ａがキャビネットフレーム第１凸部３３ａに引っ掛かって引き出すことができないように成されている。
【００４２】
また、（ａ）の状態から反時計回りに９０度回転した（ｂ）の状態とした場合、鎖錠レバー第１凸部６１ａはキャビネットフレーム第１凸部３３ａよりも低くなるのでユニット３４を引き出せは前方に移動するが、鎖錠レバー第２凸部６１ｂが、キャビネットフレーム第２凸部３３ｂの先端部分において水平位置より高く突き出た状態となって、ユニット３４を引き出そうとしても、鎖錠レバー第２凸部６１ｂがキャビネットフレーム第２凸部３３ｂに引っ掛かって引き出すことができないように成されている。
また、（ｂ）の状態から更に反時計回りに９０度回転した（ｃ）の状態とした場合、鎖錠レバー第２凸部６１ｂがキャビネットフレーム第２凸部３３ｂよりも低くなって、ユニット３４を引き出し可能な状態に成されている。
【００４３】
次に、このような構成の制御盤用ユニット３４を、作業者が制御盤３０に収納した後に、扉４２を開閉する操作、遮断器４８をＯＮ／ＯＦＦする操作、ユニット３４を引き出す操作を行う場合の動作を説明する。
まず、作業者は、ユニット３４を、図３に示すように、遮断器４８のハンドル４８ａをＯＦＦ状態とし、スライドロック板５２を下げ、更に扉４２を閉じた状態で、図１に示すように、制御盤３０の各ユニット室３３に縦置きに５個ずつ収納する。
【００４４】
この収納時に、スライドロック板５２を上げることによって、図４（ａ）に示すように、スライドロック板５２の先端部分のユニットロック部５２ｂが鎖錠ロッド凹部６２ａに挿入された状態となる。この状態では、その鎖錠ロッド凹部６２ａを有する鎖錠ロッド６２と組み合わされて固定された鎖錠レバー第１凸部６１ａが、キャビネットフレーム自体に形成されたキャビネットフレーム第１凸部３３ａよりも高い位置に突き出た状態となっている。
【００４５】
これによって、ユニット３４を引き出そうとしても、ユニットロック部５２ｂが鎖錠ロッド凹部６２ａに挿入された状態によってユニット３４の本体フレーム４１と物理的に一体状態となった鎖錠レバー第１凸部６１ａが、キャビネットフレーム第１凸部３３ａに引っ掛かるので、ユニット３４を引き出すことができない。これは、第４のインターロック機能が掛かった状態である。
【００４６】
また、この状態では、スライドロック板５２にピン５１を介して組み合わされた扉ロックレバー５４が、扉４２に組み合わされたスライドレール４３の切り欠き凹部４３ｂに、挿入状態となる。これによって、ユニット３４の扉４２を開こうとして扉４２を正面側に引き出そうとしても、スライドレール４３の切り欠き凹部４３ｂが扉ロックレバー５４の凸部５４ａに係合して引き出せなくなる。つまり、遮断器４８を自由にＯＮできる状態では、扉４２を開けることができない。これは、第１のインターロック機能の掛かった状態である。
【００４７】
このスライドロック板５２が上がった状態において、ハンドル４８ａをＯＮ状態とし、この後、扉４２を開ける必要が生じたとする。
この場合、ハンドル４８ａをＯＦＦ状態としてスライドロック板５２を下げる。これによって、ハンドルロック部５２ａが下がってハンドル４８ａを押し付けた状態となると共に、扉ロックレバー５４が下がってスライドレール４３の切り欠き凹部４３ｂから外れた状態となる。
【００４８】
つまり、第１のインターロック機能が外れた状態となり、同時に、ハンドル４８ａをＯＮ状態にできない第２のインターロック機能が掛かった状態となる。従って、遮断器４８がＯＮしない安全な状態で扉４２を開けることができる。扉４２を開ける場合は、扉４２を正面方向にスライドさせ、当該扉４２が隣接ユニットの扉に突き当たらない位置まで引き出して開ける。
【００４９】
一方、スライドロック板５２が上がった状態でハンドル４８ａがＯＮ状態の場合に、ユニット３４をユニット室３３から引き出す必要が生じたとする。
この場合、ハンドル４８ａをＯＦＦ状態として、図４（ｂ）に示すように、ユニットロック解除キー６３を反時計回りに９０度回転した状態とする。これによってスライドロック板５２が下がるので、第１のインターロック機能が外れた状態となると共に、第２のインターロック機能が掛かった状態となる。
【００５０】
また、鎖錠レバー第１凸部６１ａは、キャビネットフレーム第１凸部３３ａよりも低くなるのでユニット３４を引き出せは前方に移動するが、鎖錠レバー第２凸部６１ｂが、キャビネットフレーム第２凸部３３ｂの先端部分において水平位置より高く突き出た状態となって、ユニット３４を引き出そうとしても、僅かに引き出せるが、鎖錠レバー第２凸部６１ｂがキャビネットフレーム第２凸部３３ｂに引っ掛かって、それ以上引き出すことができない。
そこで、図４（ｂ）の状態から更にユニットロック解除キー６３によって反時計回りに９０度回転した（ｃ）の状態とする。これによって、第４のインターロック機能が解除され、鎖錠レバー第２凸部６１ｂがキャビネットフレーム第２凸部３３ｂよりも低くなるので、ユニット３４を引き出すことができる。
【００５１】
次に、遮断器４８がＯＮ状態の場合にユニット３４の内部回路の点検を行う必要が生じたとする。
この場合、強制解除レバー５５を反時計回りに回動させると、扉ロックレバー５４も反時計回りに回動して切り欠き凹部４３ｂから水平方向に抜け出して離れ、これによって第３のインターロック機能が解除された状態となる。従って、遮断器４８がＯＮ状態のままで扉４２を正面側に引き出して開放することができる。
【００５２】
以上説明したように本実施の形態の制御盤用ユニット３４によれば、本体フレーム４１における制御盤３０の正面と一致する正面の開口部分を、閉塞及び開口の何れかの状態とする扉４２と、本体フレーム４１の正面側及び後面側の何れかの方向にスライド可能なように当該本体フレーム４１にレールガイド４４及びスロット穴４１ｃに組み込まれたスライド手段であるスライドレール４３と、スライドレール４３の正面側端部に、扉４２の一辺を回動軸として当該扉４２を回動自在に取り付けた扉取付手段であるヒンジ４５とを備えてユニット３４を構成し、このユニット３４に第１〜第４のインターロック機能を有するインターロック機能部５０を備えた。
【００５３】
第１のインターロック機能は、遮断器４８を自由にオン／オフできる状態では、扉４２を開けることができないようにするものである。即ち、スライドロック板５２が上方に上げられると、ハンドルロック部５２ａがロックを解除した遮断器４８のオン／オフ操作自在な状態となると共に、扉ロックレバー５４がスライドレール４３に係合固定された状態となる。これによって、制御盤用ユニットの扉４２を開く際に当該扉４２をスライドレール４３の機構で正面側に引き出そうとしても引き出せなくなるようにした。
【００５４】
第２のインターロック機能は、扉４２が開放自在な状態では、遮断器４８をＯＮ状態にできないようにするものである。即ち、スライドレール４３が下方に下げられると、ハンドルロック部５２ａがロック状態となると共に、扉ロックレバー５４のスライドレール４３への係合固定が解除された状態となるので、扉４２を正面側に引き出して開放することが可能となるようにした。
【００５５】
第３のインターロック機能は、ユニット３４の内部の点検等を行う際に、遮断器４８がオン状態のままで強制ロック解除によって扉４２を開状態とするものである。即ち、操作者が強制解除レバー５５を所定角度まで回動させると、ピン５１を介して扉ロックレバー５４も所定角度まで回動するので、扉ロックレバー５４のスライドレール４３への係合固定が解除される。また、その係合固定の状態は、ハンドルロック部５２ａがロックを解除した遮断器４８のオン／オフ操作自在な状態であるため、遮断器４８がオン状態とされていると仮定すると、オン状態のままで係合固定が強制的に解除される。これによって、遮断器４８がオン状態のままで扉４２を正面側にスライドさせたのち開放することが可能となるようにした。
【００５６】
第４のインターロック機能は、制御盤用ユニット３４がユニット室３３に収容された状態で尚且つ遮断器４８をオンと出来ないようにするロックの解除状態の場合に、ユニット３４をユニット室３３から引き出せないようにするものである。即ち、ユニット室３３に制御盤用ユニットが収納されている際に、ユニット室３３の天井面に形成された鎖錠レバー第１凸部６１ａに鎖錠手段の鎖錠レバー第１凸部６１ａが係合された状態で、スライドロック板５２が所定位置へ上げられているとした場合、スライドロック板５２に設けけられているユニットロック部５２ｂが、鎖錠手段の鎖錠ロッド凹部６２ａに嵌合された状態となる。この状態において、制御盤用ユニットを引き出そうとしても、ユニットロック部５２ｂが鎖錠手段の鎖錠ロッド凹部６２ａに挿入されているので鎖錠手段が制御盤用ユニットの本体フレーム４１と物理的に一体状態になっており、尚且つ鎖錠手段の鎖錠レバー第１凸部６１ａが鎖錠レバー第１凸部６１ａに引っ掛かかっているので、ユニットを引き出すことができないようにした。
【００５７】
更に、鎖錠手段を所定角度回転すると、スライドロック板５２が下がるので、第１のインターロック機能が外れた状態となると共に、第２のインターロック機能が掛かった状態となる。この際、鎖錠レバー第１凸部６１ａが鎖錠レバー第１凸部６１ａから外れた状態となるので、制御盤用ユニットを前面方向に引き出すことができるが、所定距離移動した際に鎖錠レバー第１凸部６１ｂが鎖錠レバー第２凸部６１ｂに係合状態となる。つまり、ユニットを僅かに引き出せるが、それ以上引き出すことはできないので、ユニットを一気に引き出してユニットを落下させるなどの危険を防止することができる。また、鎖錠手段を更に所定角度回動させると、鎖錠レバー第１凸部６１ｂが鎖錠レバー第２凸部６１ｂから外れた状態となるので、ユニットを引き出すことができるようにした。
【００５８】
また、このような構成の制御盤用ユニット３４を、制御盤３０のユニット室３３に複数隣接して収納すれば、ユニット室３３内に殆ど空きスペースが生じることなく複数のユニット３４を収納することが可能となる。従って、ユニット室３３を有効利用することができる。
これによって、従来のように無駄なスペースが生じることが無いので、制御盤３０が必要以上に大きくなることを防止することができ、制御盤３０が必要以上に大きくなることによる輸送費や工事費などの施工コストの高騰、制御盤３０の設置スペースの拡大化を防止することができる。
【図面の簡単な説明】
【００５９】
【図１】本発明の実施の形態に係る制御盤用ユニットが複数収納されて成る制御盤の構成を示す正面図である。
【図２】上記実施の形態に係る制御盤用ユニットの外観主要部の構成を示す斜視図である。
【図３】上記実施の形態に係る制御盤用ユニットの第１〜第３のインターロック機能部の構成を示す斜視図である。
【図４】上記実施の形態に係る制御盤用ユニットの第４のインターロック機能部の構成を示す斜視図である。
【図５】従来の制御盤用ユニットが複数収納されて成る制御盤の構成を示す斜視図である。
【図６】従来の制御盤のユニット室に収納されたユニットの平面図である。
【図７】従来の制御盤用ユニットのインターロック機能の構成を示す図であり、（ａ）は平面図、（ｂ）は正面図である。
【図８】従来の制御盤のユニット室に小サイズのユニットを収納した状態を示す図である。
【符号の説明】
【００６０】
１１  固定網
３０  制御盤
３２  仕切り板
３３  ユニット室
３３ａ  キャビネットフレーム第１凸部
３３ｂ  キャビネットフレーム第２凸部
３４  制御盤用ユニット
４１  本体フレーム
４１ａ  左側板
４１ｂ  右側板
４１ｂ  折り曲げ部
４１ｃ  スロット穴
４１ｄ  中間スロット穴
４２  扉
４３  スライドレール
４３ａ  スライド穴
４３ｂ  切り欠き凹部
４５  ヒンジ
４６  回転防止レール
４７  表示機器
４８  遮断器４８操作部
５０  インターロック機能部
５１  ピン
５２  スライドロック板
５２ａ  ハンドルロック部
５２ｂ  ユニットロック部
５３  バネ
５４  扉ロックレバー
５４ａ  凸部
５５  強制解除レバー
６１  鎖錠レバー
６２  鎖錠ロッド
６１ａ  鎖錠レバー第１凸部
６１ｂ  鎖錠レバー第２凸部
６１ｃ  鎖錠レバー切り欠き凹部
６２  鎖錠ロッド
６２ａ  鎖錠ロッド凹部
６２ｂ  キー挿入部
６３  ユニットロック解除キー
【図１】
2006033988.tif 000003
【図２】
2006033988.tif 000004
【図３】
2006033988.tif 000005
【図４】
2006033988.tif 000006
【図５】
2006033988.tif 000007
【図６】
2006033988.tif 000008
【図７】
2006033988.tif 000009
【図８】
2006033988.tif 000010